(57)【特許請求の範囲】
【請求項１】
天板と、天板の前後両端に設けられた前後一対の梯子状脚体とからなる作業台で、各梯子状脚体が、左右一対の脚柱と、両脚柱間に複数段に設けられる踏桟とによって構成される作業台において、
前後各梯子状脚体の左右両脚柱に、左右手摺り支柱を、脚柱に沿って折り畳まれる折畳姿勢と天板より上方へ突出するように立ち上がる立上姿勢とに姿勢変更できるよう脚柱の上端部に設けた回転手段によって回転可能に枢着し、前後何れか一方の梯子状脚体側の左右手摺り支柱の先端部には、前後枠部と左右枠部とからなる手摺り枠の左右枠部を枢着すると共に、この手摺り枠と左右手摺り支柱との間に、この手摺り枠を左右手摺り支柱に沿うように折り畳む折畳姿勢と手摺り使用時の水平姿勢とに姿勢変更するためのスライダリンク機構を介設し、しかして前後両梯子状脚体の夫々の左右手摺り支柱を立上姿勢にし、一方の梯子状脚体側の手摺り支柱に枢着した手摺り枠を水平姿勢にした状態で、他方の梯子状脚体側の左右手摺り支柱の先端部を手摺り枠の左右枠部に夫々ボルトで固定するようにした作業台。
【請求項２】
手摺り支柱を立上姿勢にロックする立上ロック手段を設けてなる請求項１に記載の作業台。
【請求項３】
手摺り支柱を折畳姿勢にロックする折畳ロック手段を設けてなる請求項１又は２に記載の作業台。
【請求項４】
スライダリンク機構には、手摺り枠を手摺り支柱に対し折畳姿勢及び水平姿勢にロックする手摺り枠ロック手段を設けてなる請求項１〜３の何れかに記載の作業台。
【発明の詳細な説明】
【技術分野】
【０００１】
本発明は、建物の建設現場等において天井の内装仕上げ作業や天井内の配線、配管作業等の比較的高い場所での作業に使用される脚立等の作業台に関する。
【背景技術】
【０００２】
脚立ではないが、従来の作業台として下記特許文献１に記載されたようなものがある。この作業台は、天板と、天板の前後両端に設けられた前後一対の梯子状脚体とからなり、各梯子状脚体は、左右一対の脚柱と、両脚柱間に複数段に設けられる踏桟とからなるもので、梯子状脚体の脚柱に、天板よりも上方に突出する長さの手掛り棒を、脚柱に沿う折畳姿勢と天板より上方に突出するように立ち上がる立上姿勢とに姿勢変更できるように回転手段によって回転可能に枢着し、この手掛り棒によって、作業者が天板上で作業を行い、また梯子状脚体から天板に上がったり、天板から梯子状脚体を伝って下りる際の安全を期することができる。
【特許文献１】特開平１１−１３１７８８号公報
【発明の開示】
【発明が解決しようとする課題】
【０００３】
しかしながら、上記作業台は、梯子状脚体の脚柱に手掛り棒を設けただけであるため、作業者が手掛り棒を掴んで梯子状脚体を昇り下りする時にはそれ程問題はないが、脚立のように天板の作業面が非常に狭い作業台の天板上で作業する場合には、手掛り棒から手を離さないと作業できなくなるため、作業者が天板から足を踏み外し易く、不測に落下する危険性がある。
【０００４】
本発明は、上記の課題に鑑み、作業台使用時に天板の上方に手摺りを容易に設置でき、非使用時にはその手摺りを梯子状脚体の脚柱に沿って容易に折り畳み収納できるようにした作業台を提供することを目的とする。
【課題を解決するための手段】
【０００５】
上記課題を解決するための手段を、後述する実施形態の参照符号を付して説明すると、請求項１に係る発明は、天板１と、天板１の前後両端に設けられた前後一対の梯子状脚体２，２とからなる作業台で、前後各梯子状脚体２が、左右一対の脚柱３と、両脚柱３，３間に複数段に設けられる踏桟４とによって構成される作業台において、
前後各梯子状脚体２の左右両脚柱３，３に、左右手摺り支柱６，６を、脚柱３に沿って折り畳まれる折畳姿勢と天板１より上方へ突出するように立ち上がる立上姿勢とに姿勢変更できるよう脚柱３の上端部に設けた回転手段７によって回転可能に枢着し、前後何れか一方の梯子状脚体２側の左右手摺り支柱６，６の先端部には、前後枠部ａ，ａと左右枠部ｂ，ｂとからなる手摺り枠８の左右枠部ｂ，ｂを枢着すると共に、この手摺り枠８と左右手摺り支柱６，６との間に、この手摺り枠８を左右手摺り支柱６，６に沿うように折り畳む折畳姿勢と手摺り使用時の水平姿勢とに姿勢変更するためのスライダリンク機構９を介設し、しかして前後両梯子状脚体２，２の夫々の左右手摺り支柱６，６を立上姿勢にし、一方の梯子状脚体２側の手摺り支柱６，６に枢着した手摺り枠８を水平姿勢にした状態で、他方の梯子状脚体２側の左右手摺り支柱６，６の先端部を手摺り枠８の左右枠部Ｂ，ｂに夫々ボルト３０で固定するようにしたことを特徴とする。
【０００６】
請求項２は、請求項１に記載の作業台において、手摺り支柱６を立上姿勢にロックする立上ロック手段Ｌ１を設けてなることを特徴とする。
【０００７】
請求項３は、請求項１又は２に記載の作業台において、手摺り支柱６を折畳姿勢にロックする折畳ロック手段Ｌ２を設けてなることを特徴とする。
【０００８】
請求項４は、請求項１〜３の何れかに記載の作業台において、スライダリンク機構９には、手摺り枠８を手摺り支柱６に対し折畳姿勢及び水平姿勢にロックする手摺り枠ロック手段１５を設けてなることを特徴とする。
【発明の効果】
【０００９】
上記解決手段による発明の効果を、後述する実施形態の参照符号を付して説明すると、請求項１に係る発明によれば、作業台の使用時に天板１上に手摺り５を設置できるから、作業者が天板１の上で作業をする時に、この手摺り５によって作業を安全に行なうことができる。特に、この手摺り５は、天板１の上方に前後枠部ａ，ａと左右枠部ｂ，ｂとからなる手摺り枠８を形成するから、作業者は天板１上で立って作業する時には手摺り枠８に手を掛けなくても安全に作業を行なうことができる。手摺り枠８は、必ずしも矩形状のものに限らず、例えば円形や楕円形に形成されてもよい。
【００１０】
また、前後何れか一方の梯子状脚体２側の左右手摺り支柱６，６の先端部に、手摺り枠８の左右枠部ｂ，ｂを枢着すると共に、手摺り枠８の左右枠部ｂ，ｂと左右手摺り支柱６，６との間に、手摺り枠８を左右手摺り支柱６，６に沿うように折り畳む折畳姿勢と手摺り使用時の水平姿勢とに姿勢変更するスライダリンク機構９を介設し、しかして前後両梯子状脚体２，２の夫々の左右手摺り支柱６，６を立上姿勢にし、一方の梯子状脚体２側の手摺り支柱６，６に枢着した手摺り枠８を水平姿勢にした状態で、他方の梯子状脚体２側の左右手摺り支柱６，６の先端部を手摺り枠８の左右枠に夫々ボルト３０で固定するようにしたから、天板１上に手摺り５を簡単な操作で迅速容易に設置できると共に、設置時の手摺り枠８のガタツキを抑えることができ、そして作業が終わって使用しなくなれば、折り畳んで梯子状脚体２，２側にコンパクトに収納することができる。
【００１１】
請求項２に係る発明によれば、手摺り支柱６を立上姿勢にロックする立上ロック手段Ｌ１を設けているから、手摺り５の使用時に手摺り支柱６を立上姿勢に確実に保持固定できて、より一層の作業の安全性を確保できる。
【００１２】
請求項３に係る発明のように、手摺り支柱６を折畳姿勢にロックする折畳ロック手段Ｌ２を設けることによって、作業台の収納時に手摺り支柱６を保持固定できるため、作業台使用時に手摺り支柱６が邪魔になるようなことがなく、また作業台の搬送時等に手摺り支柱６がガタつくことがない。
【００１３】
請求項４に係る発明のように、手摺り枠８を折畳姿勢及び水平姿勢にロックするための手摺り枠ロック手段１５をスライダリンク機構９に設けることによって、手摺り５を折畳姿勢及び水平姿勢に確実に維持することができる。
【発明を実施するための最良の形態】
【００１４】
以下に本発明の好適な一実施形態を図面に基づいて説明すると、図１は本願発明に係る脚立の側面図で、手摺りを設置し且つ伸縮脚を伸張させた状態を示し、図２は図１に示す脚立の正面図、図３の(a) は同脚立の伸縮脚を収縮させた状態の正面図、(b) は同脚立の全体を折り畳んだ収納状態の側面図であり、図４は同脚立の手摺り部分を拡大して示す斜視図である。図５〜図７は手摺りの設置方法を示すもので、図５の(a) は手摺りが折畳姿勢にある状態の脚立の側面図、(b) は手摺りが折畳姿勢からわずかに水平姿勢に移った状態の側面図、図６の(a) ，(b) は手摺りが更に水平姿勢へ移動する状態の側面図、図７の(a) は一方の手摺り支柱が立ち上がり、手摺り枠が水平姿勢となった状態の側面図、(b) は他方の手摺り支柱が立ち上がり、手摺り枠に固定されて完成した状態の側面図、図８は図７の(b) の拡大縦断面図である。
【００１５】
これらの図を参照して、本発明に係る作業台としての脚立は、天板１と、この天板の前後両端に設けられた前後一対の折り畳み可能な梯子状脚体２，２とからなるもので、各梯子状脚体２は、図２に示すように、左右一対の互いに平行な脚柱３，３と、両脚柱３，３間に複数段に設けられる踏桟４とによって構成され、そして天板１上に手摺り５が設置されるようになっている。
【００１６】
前後各梯子状脚体２の下端部には伸縮脚体５６が取り付けられ、この伸縮脚体５６は、梯子状脚体２の左右脚柱３，３の下端部に伸縮可能に接続された左右脚柱５７，５７と、両脚柱５７，５７にスライド可能に取り付けられて、所要位置で固定可能な複数の踏桟５８とからなるもので、左右脚柱５７，５７の下端には接地枠５９が取り付けられている。また、梯子状脚体２の脚柱３と伸縮脚体５６の接地枠５９との間には伸縮ブレス６０が介装されており、図２には伸張状態の伸縮ブレス６０を示し、図３には収縮状態の伸縮ブレス６０を示す。
【００１７】
各梯子状脚体２の左右脚柱３には、左右一対の手摺り支柱６，６が、両脚柱３，３に沿って折り畳まれる折畳姿勢（図５の(a) ）と、天板１より上方へ突出するように立ち上がる立上姿勢（図１及び図４参照）とに姿勢変更できるように、両手摺り支柱６，６の基端部６ａ，６ａが両脚柱３，３の夫々上端部に設けた回転手段７，７により回転可能に枢着されている。
【００１８】
図４からよく分かるように、前後各梯子状脚体２に設けてある左右手摺り支柱６，６の夫々先端部６ｂ，６ｂに、前後枠部ａ，ａと左右枠部ｂ，ｂとからなる矩形枠状手摺り枠８の左右枠部ｂ，ｂが夫々枢着されていると共に、この矩形枠状手摺り枠８の左右枠部ｂ，ｂと、左右手摺り支柱６，６との間には、矩形状手摺り枠８を、図５の(a) に示すような折畳姿勢と図１及び図４に示すような使用時の水平姿勢とに姿勢変更するためのスライダリンク機構９が夫々介設されている。このスライダリンク機構９には、矩形状手摺り枠８を折畳姿勢及び水平姿勢に夫々ロックする手摺り枠ロック手段１５が設けられている。この実施形態では、手摺り枠８を矩形状に形成しているが、この手摺り枠８は矩形状に限るものではなく、円形や楕円形でもよく、例えば円形状手摺り枠８の場合は、前後枠部ａ，ａと左右枠部ｂ，ｂとで円形状の手摺り枠８を形成すればよい。ただし、矩形状の手摺り枠８の方が製作的に有利である。
【００１９】
各手摺り支柱６は、脚柱３に沿って折り畳まれる折畳姿勢と、天板１より上方へ突出するように立ち上がる立上姿勢とにわたって回転できるように回転手段７によって枢着されているが、この回転手段７について図９〜図１２を参照しながら説明する。
【００２０】
図９及び図１１の（ａ）に示すように、梯子状脚体２の脚柱３に固定ブラケット１１がビス１２によって取り付けられており、また手摺り支柱６に同じく回動ブラケット１３が固定ブラケット１１に対面してビス１２によって取り付けられている。固定ブラケット１１の、回動ブラケット１３との対向壁１４の中央部には回転用枢軸１７が突設され、この回転用枢軸１７に抜け止め用鍔１８が設けてある。そして図１１の（ａ）に示すように、固定ブラケット１１の上部側に上向きＵ字状の上部ロック孔１９が開設され、固定ブラケット１１の下部側には下向きＵ字状の下部ロック孔２０が開設されている。また固定ブラケット１１の内部には回転ロック板２１が枢着され、このロック板２１の上下部には、夫々上部及び下部のロック爪２２，２３が形成され、またロック板２１の側方には解除レバー２４が固定ブラケット１１の側壁２５の長孔２６から突出して設けられていて、常時は弦巻状のロックばね２７の付勢力によって、回転ロック板２１の上下部両ロック爪２２，２３が夫々上部ロック孔１９及び下部ロック孔２０内に突入して両ロック孔１９，２０の入口を塞ぐようになっており、ロックばね２７の付勢力に抗して解除レバー２４を長孔２６に沿って上方に移動させることにより、図１１の（ｃ）の仮想線線に示すように、両上下部ロック爪２２，２３は両上下部ロック孔１９，２０から後退し、ロック孔１９，２０の入口を開放するようになっている。
【００２１】
また回動ブラケット１３の、固定ブラケット１１との対向壁２８の中央部には、固定ブラケット１１に突設した回転用枢軸１７が嵌合枢支される縦長孔３１が穿設され、且つこの縦長孔３１と同一上下線上には、固定ブラケット１１に穿設した上下部ロック孔１９，２０に嵌合ロックするロックピン３２が突設されており、このロックピン３２には抜け止め用鍔３３が設けてある。
【００２２】
上記の説明において、固定ブラケット１１、この固定ブラケット１１に突設した回転用枢軸１７、可動ブラケット１３及びこれに穿設した縦長孔３１が主として回転手段１０を構成する。
【００２３】
そして、本発明の実施態様においては、手摺り支柱６が天板１より上方に突出立ち上がった立上姿勢（図４参照）において、その立上姿勢を維持する立上ロック手段Ｌ１と、手摺り支柱６が脚柱３に沿って折り畳んだ時にその折畳姿勢（図５の(a) 参照）を維持する折畳ロック手段Ｌ２を設けるが、そのロック手段Ｌ１，Ｌ２の構造を図１１の(a) 〜(c) 及び図１２の(a) 〜(d) に示す使用状態の説明に合わせて述べると、先ず図１２の(a) に示すように、手摺り支柱６が上方に突出するよう回動し、固定ブラケット１１の上部ロック孔１９の上方にロックピン３２が位置したとき、その時点より、図１２の(a) の矢印に示すように、手摺り支柱６を下方に押圧することによって可動ブラケット１３のロックピン３２が固定ブラケット１１の上部ロック孔１９に嵌合する。この嵌合の際に、上部ロック孔１９の入口を塞いでいた上部ロック爪２２はロックピン３２に押圧されてロックばね２７の付勢力に抗して後退し、ロックピン３２が上部ロック孔１９に完全に嵌合するとロックピン３２の押圧作用から開放されるため上部ロック爪２２はロックばね２７に付勢されて上部ロック孔２２を塞ぐように突出し、これによってロックピン３２は上部ロック孔１９から脱出することは不可能になるから、ロックピン３２に支持された手摺り支柱６は天板１より上方に突出して立ち上がった立上姿勢に維持される。
【００２４】
そして手摺り支柱６を折り畳状態に回動させるためには、図１２の(b) に示すように、ロックばね２７の付勢力に抗して回転ロック板２１の解除レバー２４を上方に移動して上部ロック爪２２を上部ロック孔１９から後退させて該ロック孔１９の入口を開放し、この状態で手摺り支柱６を矢印で示すように上方に引き上げてロックピン３２を上部ロック孔１９から脱出させ、その後手摺り支柱６を同図の矢印に示すように回転用枢軸１７を支点として回転させて、図１２の(c) に示すように手摺り支柱６及びロックピン３２を下部ロック孔２０の真下に位置させ、この状態で手摺り支柱６を同図の矢印に示すように上方に持ち上げることにより、図１２の(d) に示すようにロックピン３２は固定ブラケット１１の下部ロック孔２０に嵌合する。この嵌合の際、下部ロック孔２０の入口を塞いでいた下部ロック爪２３はロックピン３２に押圧されてロックばね２７の付勢力に抗して後退し、ロックピン３２が下部ロック孔２０に完全に嵌合するとロックピン３２の押圧作用から開放されるため下部ロック爪２３はロックばね２７に付勢されて下部ロック孔２０を塞ぐように突出し、これによりロックピン３２は下部ロック孔２０から脱出することは不可能になるから、ロックピン３２に支持された手摺り支柱６は、図５の(a) に示すように脚柱４に沿う折り畳み姿勢を維持される。尚、図１２の(d) の状態から同図の(a) の状態に復帰するには、前記と逆の操作をすればよいことは説明するまでもない。
【００２５】
上述の説明から明らかなように本発明の一実施の形態にあっては、回転ロック板２１、上部ロック孔１９、上部ロック爪２２、ロックピン３２、ロックばね２７及び解錠レバー２４が立上ロック手段Ｌ１を構成し、また回転ロック板２１、下部ロック孔２０、下部ロック爪２３、ロックピン３２、ロックばね２７及び解錠レバー２４が折畳ロック手段Ｌ２を構成することになる。
【００２６】
次に、矩形状手摺り枠８を折畳姿勢と水平姿勢とに姿勢変更するためのスライダリンク機構９について説明すると、このスライダリンク機構９は、図４及び図８から分かるように、左右一対のリンク部材２９，２９からなるもので、各リンク部材２９の一端部は、コ字状枠部材８を形成する側枠部ａの連結枠部ｂ側端部にピン３３で枢着され、その他端部は、手摺り支柱６にスライドのみ可能に嵌合されたアルミ押出形材からなる角筒状スライダー３４の一側部に突出する取付部片３４ｂにピン（ボルト・ナット）３５で枢着されている。
【００２７】
また、矩形状手摺り枠８を折畳姿勢及び水平姿勢にロックする手摺り枠ロック手段１５は、図１３の(a) 〜(c) に示すように、スライダリンク機構９のスライダー３４と一体に形成された筒状本体ケース３４ａと、この筒状本体ケース３４ａ及びスライダー３４をこれらの横断方向に貫通して、手摺り支柱６に設けられた折畳姿勢用ロック孔３８又は水平姿勢用ロック孔３９に挿通されるロックピン４０と、このロックピン４０の先端部４０ａがロック孔３８，３９に挿通するように付勢するコイルばね４１とからなるもので、ロックピン４０の基端部４０ｂは直角に折曲されて把手部を形成している。尚、図１３の(b) ，(c) にはスライダー３４に設けられたピン孔を４２で示す。上記ロックピン４０には、このロックピン４０をコイルばね４１の付勢力に抗して手前側へ引っ張ってピン先端部４０ａをスライダー３４のピン孔４２及び手摺り支柱６のロック孔３８又は３９から引き抜いた状態（ロック解除状態）に保持するためのストッパーピン４３が設けられている。
【００２８】
図１３の(b) は、ロックピン４０の先端部４０ａがスライダー３４のピン孔４２から手摺り支柱６の折畳姿勢用ロック孔３８（又は水平姿勢用ロック孔３９）に挿通してスライダー３４をコ字状枠部材８の折畳姿勢（又は水平姿勢）にロックした状態を示し、図１３の(a) は、ロックピン４０を手前側へ引っ張ってピン先端部４０ａを手摺り支柱６のロック孔３８（又は水平姿勢用ロック孔３９）から引き抜いてスライダー３４をロック解除した状態を示す。尚、スライダー３４をロック解除する時には、ロックピン４０をその軸線周りに９０度回転させてストッパーピン４３を筒状本体ケース３４ａの内部フランジ４４，４４に掛止させる（図１３の(a) 参照）。
【００２９】
図１４は上記のように手摺り枠ロック手段１５の筒状本体ケース３４ａを有するアルミ押出形材からなるスライダー３４を示し、(a) は平面図、(b) は正面図、(c) は左側面図である。このスライダー３４にはスライドガイド５１側に突設された掛止部片５２，５２（図１５参照）を係止するための四角形の係止用孔５３，５３が設けられ、また本体ケース３４ａにはロックピン４０を挿入するための孔５４が設けられ、また突片部３４ｂにはボルト３５を挿通するボルト挿通孔５５が設けてある。図１５は合成樹脂製角筒状スライドガイド５１を示し、(a) は平面図、(b) は正面図、(c) は側面図である。しかして、スライドガイド５１をスライダー３４内に取り付けるには、スライドガイド５１をスライダー３４内にその上方より嵌合させて、スライドガイド５１の両側面から突出する楔形掛止部片５２，５２をスライダー３４の係止用孔５３，５３に係止させればよい。
【００３０】
尚、図１〜図４、特に図８に示すように、左右各手摺り支柱６の先端部６ｂには取付片４７の一端部が取り付けられ、この取付片４７の先端部がピン４８で矩形状手摺り枠８の左右各枠部ｂに枢着されている。図１〜図３及び図５〜図７において、６１，６２，６３は前後一対の梯子状脚体２，２を側面視ハの字状の所定角度に保持するブレースである。
【００３１】
上述したように構成される作業台としての脚立の天板１の上方に手摺り枠８を設置する時の作業手順について、主に図４〜図８を参照しながら説明する。
【００３２】
先ず、図５の(a) は、脚立の前後一対の梯子状脚体２，２をハの字状の所定角度に保持して使用可能とした状態を示したもので、前後各梯子状脚体２の左右脚柱３，３に枢着された手摺り支柱６，６は、夫々脚柱３，３に沿って折り畳まれた折畳姿勢にあって、夫々折畳ロック手段Ｌ２（図１２参照）により折畳姿勢にロックされている。そして、一方の梯子状脚体２側の左右手摺り支柱６，６の先端部に枢着されている矩形状手摺り枠８は、スライダリンク機構９により折畳姿勢に折り畳まれて、手摺り枠ロック手段１５によって折畳姿勢にロックされている。
【００３３】
図５の(b) は、折畳ロック手段Ｌ２（図１２参照）によるロックを解除して、回転手段７を中心に手摺り支柱６を少し前方へ回転させた状態を示す。この状態で手摺り枠ロック手段１５を、図１３によって説明した要領でロック解除した後、スライダリンク機構９のスライダー３４（図８参照）を手摺り支柱６に沿ってスライドさせ、手摺り枠ロック手段１５によってスライダー３４を矩形状手摺り枠８が使用時に水平姿勢となる位置にロックする。この状態を図６の(a) 及び(b) に示す。
【００３４】
この後、図７の(a) に示すように、手摺り枠８が取り付けられた梯子状脚体２側の左右手摺り支柱６，６を、夫々回転手段７を中心に上向きに回転して持ち上げ、この手摺り支柱６，６が天板１の上方へ脚柱３と一直線状に立ち上がるように延びた立上姿勢で、この手摺り支柱６，６を夫々立上ロック手段Ｌ１（図１２参照）によりロックする。こうして一方の梯子状脚体２側の左右手摺り支柱６，６の先端部に手摺り枠８を手摺り枠ロック手段１５によって水平姿勢に固定したならば、他方の梯子状脚体２側の左右手摺り支柱６，６を夫々回転手段７を中心に上向きに回転して持ち上げ、しかして左右各手摺り支柱６の先端部に取り付けられているボルト３０を、水平姿勢に固定した手摺り枠８の左右各枠部ｂに設けてあるネジ孔５０（図８参照）にねじ込んで締め付けることにより、図７の(b) に示すように当該他方の梯子状脚体２側の左右手摺り支柱６，６の先端部を手摺り枠８に連結固定する。これによって天板１上への手摺り５の設置が完了する。尚、手摺り枠８の左右各枠部ｂにネジ孔５０を設けるには、手摺り枠８が管材からなる場合、左右各枠部ｂの所要箇所に、ボルト３０が螺合可能なナットをカシメによって埋入固定するとよい。
【００３５】
上記のようにして設置した手摺り５を折り畳むには、前記ボルト３０を手摺り枠８の左右各枠部ｂのネジ孔５０から抜き取って、このボルト３０が取り付けられる側の手摺り支柱６を手摺り枠８から切り離した後は、上述した図５〜図７による作業手順の逆の手順を行なえばよい。
【００３６】
以上の実施形態の脚立の説明から分かるように、脚立使用時に天板１の上方に手摺り５を設置することができるから、作業者が天板１上で作業をする時に、この手摺り５により作業を安全に行なうことができる。特に、この手摺り５は、天板１上方に前後枠部ａ，ａと左右枠部ｂ，ｂとからなる手摺り枠８が形成されるから、作業者はこの手摺り枠８内で作業をより安全に行なうことができる。またこの手摺り５は、簡単な操作で容易に組み立てることができると共に、作業が終わって使用しなくなれば、折り畳んで梯子状脚体２，２側にコンパクトに収納することができる。
【００３７】
また、この実施形態の脚立では、手摺り支柱６を立上姿勢にロックする立上ロック手段Ｌ１及び手摺り支柱６を折畳姿勢にロックする折畳ロック手段Ｌ２を設けているため、手摺り支柱６の使用時に手摺り支柱６を立上姿勢に確実に保持固定できて、より一層作業の安全性を確保できると共に、その折畳時にも手摺り支柱６を保持固定できるため、脚立の搬送時等に手摺り支柱６がガタつくようなことがない。
【００３８】
また、スライダリンク機構９には手摺り枠８を折畳姿勢及び水平姿勢にロックする手摺り枠ロック手段１５が設けられているから、手摺り５の設置時に手摺り枠８を折畳姿勢及び水平姿勢に確実に保持することができる。
【００３９】
また、上述した実施形態の脚立では、各梯子状脚体２は、左右一対の互いに平行な脚柱３，３と、両脚柱３，３間に横架される踏桟４とから構成されているが、梯子状脚体としては、左右両脚柱が平行でなく、略ハの字状、すなわち末広がり状に配設されるものでもよい。
【図面の簡単な説明】
【００４０】
【図１】本願発明に係る脚立の側面図で、手摺りを設置し且つ伸縮脚を伸張させた状態を示す。
【図２】図１に示す脚立の正面図である。
【図３】(a) は同脚立の伸縮脚を収縮させた状態の正面図、(b) は同脚立の全体を折り畳んだ収納状態の側面図である。
【図４】同脚立の手摺り部分を拡大して示す斜視図である。
【図５】手摺りの設置方法を示し、(a) は手摺りが折畳姿勢にある状態の脚立の側面図、(b) は手摺りが折畳姿勢からわずかに水平姿勢へと移行する状態の側面図である。
【図６】(a) ，(b) は手摺りが更に水平姿勢へ移行する状態の側面図である。
【図７】(a) は一方の手摺り支柱が立ち上がり、手摺り枠が水平姿勢となった状態の側面図、(b) は他方の手摺り支柱が立ち上がり、手摺り枠に固定されて完成した状態の側面図である。
【図８】図７の(b) の拡大縦断面図である。
【図９】手摺り支柱の立上姿勢の要部拡大側面図である。
【図１０】手摺り支柱の折畳姿勢の要部拡大側面図である。
【図１１】回転手段の実施形態の分解斜視図である。
【図１２】回転手段の実施形態の操作順序を説明する説明図である。
【図１３】手摺り枠ロック手段の実施形態を示し、(a) はロック手段がロック解除状態での断面図、(b) はロック手段がロック状態での断面図、(c) はロック手段の側面図である。
【図１４】(a) はスライダーの平面図、(b) は正面図、(c) は左側面図である。
【図１５】角筒状スライドガイドを示し、(a) は平面図、(b) は正面図、(c) は側面図である。
【符号の説明】
【００４１】
１            天板
２            梯子状脚体
３            脚柱
４            踏桟
５            手摺り
６            手摺り支柱
７            回転手段
８            手摺り枠
ａ            手摺り枠の前後枠部
ｂ            手摺り枠の左右枠部
９            スライダリンク機構
１５          手摺り枠ロック手段
３０          ボルト
Ｌ１          立上ロック手段
Ｌ２          折畳ロック手段
【図１】
0004961378.tif 000002
【図２】
0004961378.tif 000003
【図３】
0004961378.tif 000004
【図４】
0004961378.tif 000005
【図５】
0004961378.tif 000006
【図６】
0004961378.tif 000007
【図７】
0004961378.tif 000008
【図８】
0004961378.tif 000009
【図９】
0004961378.tif 000010
【図１０】
0004961378.tif 000011
【図１１】
0004961378.tif 000012
【図１２】
0004961378.tif 000013
【図１３】
0004961378.tif 000014
【図１４】
0004961378.tif 000015
【図１５】
0004961378.tif 000016